(57)【特許請求の範囲】
【請求項１】
屋内と屋外とを連通する換気孔内に配設可能な筒体及び該筒体の屋外側端部に一体に成形されるフードを有するセラミック製の口具本体と、該口具本体を前記換気孔内に係止するための係止具とを備え、
前記筒体は、その壁面において内周面側と外周面側とを貫通する取付孔を複数形成し、前記係止具は、前記筒体の径方向外方に突出するように前記筒体の取付孔に対してそれぞれ取り付けられ、
前記筒体は、その屋内側端部に内周面に沿って円環状の縁部が内方へ突設され、前記縁部のうち、前記取付孔に対して前記筒体の軸線方向屋内側に位置する部位に切欠が設けられていることを特徴とする換気口具。
【発明の詳細な説明】
【技術分野】
【０００１】
本発明は、屋内と屋外とを連通する換気孔に設置される換気口具に関するものである。
【背景技術】
【０００２】
一般に、家屋等の建造物には、防湿、防かびや夏期における温度上昇防止を目的として、換気孔が床下の布基礎や屋根裏部屋等の屋内と屋外とを連通するように設けられ、かかる換気孔には換気口具が設置されている。この種の換気口具については、たとえば、特許文献１に開示されるような技術が知られている。
【０００３】
特許文献１に開示される換気口具５０は、図６（ａ）に示すように、ステンレス等の金属素材からなり、円板５１と同円板５１の一側面に溶接されるフード５２と、同円板５１の他側面に溶接される筒体５３とから一体に形成されている。そして、円板５１に形成された複数の長孔５４によって、フード５２の内域と筒体５３の内域とが連通されている。このように構成された換気口具５０は、その筒体５３を換気孔Ｋ内に挿入するとともに、換気孔Ｋの内周面と筒体５３の外周面との間隙をモルタルＭで埋めることにより換気孔Ｋの屋外側に固定される。
【特許文献１】特開平７−２９３９５５
【発明の開示】
【発明が解決しようとする課題】
【０００４】
ところで、建造物に設けられる換気孔Ｋには、換気口具５０に加えて、その屋内側に換気扇Ｓが設置される場合がある（図６参照）。換気扇Ｓは換気口具５０と同様に換気孔Ｋに対して、その一部を挿入して設置するものであるため、換気扇Ｓと換気口具５０とを設置する場合には、両者の換気孔Ｋ内に挿入する部位の長さの和が換気孔Ｋの長さよりも短くなければならない。そのため、このような場合には従来の換気口具よりも筒体５３の長さを短く形成した換気口具５０が設置されていた。
【０００５】
しかし、筒体５３は換気口具５０と換気孔Ｋとを固定するための部位でもあることから、筒体５３を短く形成した場合には換気孔Ｋに対する換気口具５０の固定状態が不安定化して、換気孔Ｋから換気口具５０が脱落しやすくなるという問題があった。このような問題に対して、特許文献１の換気口具５０では、図６（ａ）及び（ｂ）に示すように、筒体５３の一部を切り起こして爪片５５を形成することにより問題の解決を図っている。この爪片５５は、換気口具５０を換気孔Ｋに設置した際に、その弾性作用によって換気孔Ｋの内周面を押圧する。この押圧作用により、換気口具５０は換気孔Ｋに対して固定されるため、筒体５３を短く形成した場合においても固定状態が過度に不安定化されることが抑制される。
【０００６】
ところが、換気口具をセラミックにより形成した場合には、特許文献１の換気口具５０のようにその一部を切り起こすことはできず、筒体５３の一部を切り起こして形成した爪片５５をもって固定状態を安定化させるという方法を採用することは不可能であった。とくに、セラミック製の換気口具は、金属製の換気口具と比較してその重量が大きくなりやすく、換気孔Ｋから脱落しやすいという性質があるにもかかわらず、その固定状態を安定化させるための有効な方法は見出されていない。
【０００７】
この発明は、こうした従来の実情に鑑みてなされたものであり、その目的は、セラミックにより形成した場合においても、換気孔に対して安定して設置することのできる換気口具を提供することにある。
【課題を解決するための手段】
【０００８】
上記の目的を達成するために請求項１に記載の換気口具は、屋内と屋外とを連通する換気孔内に配設可能な筒体及び該筒体の屋外側端部に一体に成形されるフードを有するセラミック製の口具本体と、該口具本体を前記換気孔内に係止するための係止具とを備え、  前記筒体は、その壁面において内周面側と外周面側とを貫通する取付孔を複数形成し、前記係止具は、前記筒体の径方向外方に突出するように前記筒体の取付孔に対してそれぞれ取り付けられ、前記筒体は、その屋内側端部に内周面に沿って円環状の縁部が内方へ突設され、前記縁部のうち、前記取付孔に対して前記筒体の軸線方向屋内側に位置する部位に切欠が設けられていることを要旨とする。
【０００９】
上記構成によれば、換気口具は、係止具を換気孔の内周面に対して圧接させた状態で換気孔に設置される。これにより、換気口具は換気孔に対して強固に固定されて、その固定状態が安定化される。
【発明の効果】
【００１２】
本発明の換気口具によれば、セラミックにより形成した場合においても、換気孔に対して安定して設置することができる。
【発明を実施するための最良の形態】
【００１３】
以下、本発明の換気口具の一実施形態を図１〜６に基づいて説明する。なお、以下の説明では、図１に示されるような使用形態を基準として、「上」、「下」、「屋内」、「屋外」と述べることにする。
【００１４】
本実施形態における換気口具１は、換気孔Ｋの屋外側に設置されており、換気孔Ｋの屋内側には換気扇Ｓが設置されている。全体がセラミックによって形成される換気口具１の口具本体２は、換気孔Ｋの屋外側開口を塞ぐような板部材２０が形成され、この板部材２０の屋内側面に筒体１０が一体に形成されるとともに、その屋外側面にフード３０が一体に形成されている。筒体１０は外筒１１及び内筒１５からなる二重筒構造をなし、外筒１１及び内筒１５の屋外側端部は板部材２０の屋内側面に固着されている。
【００１５】
図１に示すように、外筒１１は、屋外側及び屋内側が共に開口された円筒状に形成されるとともに、その内径及び外径が屋内側端部から屋外側端部に向かって徐々に大きくなるように形成されている。また、外筒１１の屋内側の壁面には、外筒１１の内外を貫通する複数の取付孔１２が外筒１１の周方向に沿って等間隔に穿設されている。なお、本実施形態では、取付孔１２を３つ設けている。
【００１６】
さらに、図１及び図３に示すように、外筒１１の屋内側端部には、その内周面に沿って円環状の縁部１３が内方に突設されている。この縁部１３のうち、取付孔１２に対して外筒１１の軸線方向屋内側に位置する部位には、切欠１４がそれぞれ設けられている。切欠１４は、その周方向の幅が取付孔１２の周方向の幅と同じかそれよりも大きくなるように形成されている。また、この縁部１３において、下側に位置する縁部１３の突設高さは、上側に位置する縁部１３の突設高さよりも大きく設定されている（図３参照）。この突設高さにおける寸法差は、風雨の屋内側への進入防止に貢献する。なお、切欠１４の配置については、外筒１１の周方向に沿って等間隔であり、かつ外筒１１を屋内側からみたときに縁部１３の形状が左右対称となることを前提として、切欠１４が外筒１１の最下部に位置しないように決められている。
【００１７】
図１に示すように、内筒１５は屋外側に開口した略半球状に形成されている。そして、その壁面には内筒１５の内外を連通させる複数の連通孔１６が上下方向に並設されている。なお、本実施形態においては、連通孔１６は、内筒１５を屋内側からみたとき、屋内側から屋外側に向かって反時計回り方向に回る螺旋状をなすように延びている。
【００１８】
外筒１１及び内筒１５の屋外側端部は、これら各端部よりも大径の円板状をなす板部材２０に固着されるとともに、板部材２０によって外筒１１及び内筒１５の屋外側の開口が封じられている。図２に示すように、板部材２０には、内筒１５によって囲まれる空間と屋外とを連通させる複数の長孔２１が穿設されている。この長孔２１は、その形状が「へ」字状に屈曲形成されている。具体的には、長孔２１は板部材２０の上下方向における中心線から左右にそれぞれ斜め下へ延びるように形成されている。各長孔２１は、その長手方向における端部内面（左右最下の端部の内面）が内筒１５の内周面と対応する位置、すなわち、長孔２１の前記端部内面と内筒１５の内周面とが面一となる位置まで延びている。
【００１９】
図２に示すように、長孔２１の屈曲部位（各長孔２１における最頂部位）には、孔形状維持部２２が付与されている。孔形状維持部２２は、各長孔２１の短手方向に延びるとともに板部材２０と一体に形成されている。また、各長孔２１は、孔形状維持部２２によって同じ連通断面積を有する一対の孔にそれぞれ区画されている。さらに、板部材２０における長孔２１の下方位置には、第１透孔２３及び第２透孔２４が穿設されている。この第１透孔２３は、外筒１１と内筒１５とに囲まれた空間の最低部に対応する位置に設けられるとともに、同空間を屋外に連通させている。第２透孔２４は、換気口具１を換気孔Ｋに設置した際に形成される、外筒１１と換気孔Ｋとに囲まれた空間の最低部に対応する位置に設けられるとともに、同空間を屋外に連通させている。
【００２０】
図１に示すように、フード３０は、外観が略半球状となるように形成され、板部材２０の屋外側側面に固着されることによって、外筒１１の開口部上方、前方及び両側方を覆っている。また、フード３０には、フード３０を貫通する風穴３１が形成されている。風穴３１はフード３０の略中央に位置決めされており、略円形状をなしている。なお、本実施形態では、フード３０の中央位置に１つの風穴３１を設けているが、風穴３１を複数設けてもよく、その配置も適宜変更可能である。
【００２１】
また、換気口具１は、口具本体２を換気孔Ｋ内に係止するための係止具４０を備えている。図４（ｂ）に示すように、係止具４０は、平面視「Ｔ」字状をなす板状部材であり、幅広に形成される頭部４１と幅狭に形成される胴部４２とを有している。また、係止具４０は、弾性作用を有するステンレスから形成されている。係止具４０の頭部４１の幅は、取付孔１２における外筒１１の周方向の長さよりも大きく設定されるとともに、胴部４２の幅は、取付孔１２における外筒１１の周方向の長さよりも小さく設定されている。また、頭部４１には、その上端部の両隅を屈曲させて形成した爪部４３が設けられている。図４（ｂ）においては、爪部４３は紙面の手前側へ向かって屈曲形成されている。なお、本実施形態においては頭部４１の上端部が突出側端部となる。
【００２２】
図４（ａ）に示すように、係止具４０は、その胴部４２を外筒１１の外周面側から取付孔１２に挿入し、胴部４２の先端を外筒１１の内周面側から外周面側に折り返すことによって口具本体２に取り付けられている。具体的には、取付孔１２に挿入された胴部４２を外筒１１の内周面に沿って屋内側端部側に屈曲させる。このとき、胴部４２の先端を切欠１４を通って外筒１１の屋内側端部から突出させ、さらに、この突出部分を外筒１１の内周面側から外周面側に折り返して外筒１１の屋内側端部を挟み込むことにより、係止具４０は外筒１１に取り付けられる。
【００２３】
本実施形態では、幅広に形成された頭部４１、胴部４２の折り返し部分、及び切欠１４のそれぞれが、外筒１１に取り付けられた係止具４０の外筒１１に対する位置ずれを抑制する位置ずれ抑制手段として機能する。また、係止具４０は、その爪部４３の先端が屋内側を指向した状態、すなわち、爪部４３が屋内側に向かって傾斜した状態となるように取り付けられている。
【００２４】
このとき、図３及び図４（ａ）に示すように、係止具４０は、その頭部４１を取付孔１２から外筒１１の径方向外方に向かって突出させた状態で固定されることになる。この頭部４１における外筒１１の外周面からの突出高さＬは、換気口具１を換気孔Ｋに設置した際における外筒１１の外周面と換気孔Ｋの内周面間の間隔よりも大きく設定されている。
【００２５】
次に、本実施形態の換気口具１を換気孔Ｋに設置する態様について説明する。まず、建造物の壁部にあらかじめ設けられた換気孔Ｋに対して、換気口具１の筒体１０を屋外側から挿入する。このとき、図１に示すように、係止具４０は、換気孔Ｋの内周面によって屋外側へ屈曲されることになる。そして、屈曲された係止具４０には、その弾性作用によって屈曲前の状態に戻ろうとする復元力が生じるとともに、この復元力によって換気孔Ｋの内周面を係止具４０が押圧した状態となる。
【００２６】
また、換気孔Ｋの内径よりも板部材２０の外径の方が大きく設定されているため、換気口具１の換気孔Ｋへの挿入時には、板部材２０が建造物の外壁に当接して換気孔Ｋに対する換気口具１の位置が決まる。そして、係止具４０及び板部材２０によって、換気孔Ｋに対する換気口具１の位置決めを行なった後、外筒１１の外周面と換気孔Ｋの内周面との間隙をモルタルＭ（又は接着剤でもよい）等で埋めることにより、換気口具１の設置が完了する。
【００２７】
次に、本実施形態の換気口具１の作用について説明する。まず、空気の流通を説明すると、フード３０内部に進入した空気は、板部材２０に設けられた長孔２１を介して内筒１５の内域に達し、内筒１５の壁面に設けられた連通孔１６を通過する。そして、外筒１１の内域に流入した空気は、外筒１１の屋内側端部側から換気孔Ｋの屋内側に吹き込む。また、屋内側から屋外側への空気の移動は、上述した流入経路を逆にたどって行なわれる。このようにして建造物の壁部に設けられる複数の換気口具１及び換気孔Ｋを介して、屋内と屋外とにおいて、空気が流通されている。
【００２８】
普通の雨の場合は、内筒１５の開口側上半部がフード３０により覆われているため、雨水が内筒１５の内域に降り込むことはない。暴風雨の場合、強風がフード３０内部に浸入することがあるが、フード３０に形成された風穴３１を介してフード３０の内側から外側に逃がされる。また、内筒１５は、屋外側に開口した略半球状に形成されているため、換気孔Ｋに設置された状態では、内筒１５の下側内面は開口に向かって次第に下がる傾斜を付与されている。したがって、内筒１５の内域まで雨水が浸入したとしても、内筒１５の下側内面の最低部をたどって雨水は屋外に排水される。
【００２９】
また、外筒１１の下側内面もまた開口に向かって次第に下がる傾斜を付与されている。そのため、内筒１５に設けられた連通孔１６を通して雨水が外筒１１の内域に浸入したとしても、その雨水は、外筒１１の下側内面の最低部をたどり、板部材２０に設けられた第１透孔２３を介して屋外に排水される。また、外筒１１の外周面と換気孔Ｋの内周面との間に雨水が浸入した場合にも、その雨水は第２透孔２４を介して屋外に排水される。
【００３０】
次に本実施形態における作用効果について、以下に記載する。
（１）本実施形態では、口具本体２を換気孔Ｋ内に係止するための係止具４０を設けている。そして、口具本体２に対して係止具４０を、外筒１１の外周面から外筒１１の径方向外方に突出するように取り付けている。これにより、換気孔Ｋ内に換気口具１の筒体１０を挿入したときに、換気孔Ｋの内周面に対して係止具４０が圧接した状態となって、換気孔Ｋに対する換気口具１の固定状態が安定化される。
【００３１】
また、本実施形態では、係止具４０を、弾性作用を有するステンレスにより形成するとともに、係止具４０における外筒１１の外周面からの突出高さＬを、換気口具１を換気孔Ｋに設置した際における外筒１１の外周面と換気孔Ｋの内周面間の間隔より大きくなるように設定している。これにより、換気孔Ｋ内に換気口具１の筒体１０を挿入する際に、係止具４０と換気孔Ｋの内周面とが接触して、係止具４０は屋外側へ向かって屈曲する。このとき、係止具４０には、元の状態に戻ろうとする復元力が生じるとともに、この復元力によって、係止具４０が換気孔Ｋの内周面を押圧した状態となり、換気孔Ｋに対する換気口具１の固定状態がより安定化される。
【００３２】
（２）本実施形態では、係止具４０の頭部４１の上端両隅を屈曲させて爪部４３を設けている。これにより、換気孔Ｋ内に換気口具１を設置した際に、爪部４３が換気孔Ｋの内周面に突き立つ状態となって、係止具４０と換気孔Ｋとの間における摩擦抵抗が大きくなる。そのため、換気孔Ｋに対して換気口具１が相対移動し難くなり、換気孔Ｋに対する換気口具１の位置ずれが抑制される。
【００３３】
（３）本実施形態では、爪部４３を屋内側に向かって傾斜するように設けている。これにより、換気孔Ｋに対して換気口具１を挿入する動作に伴って、爪部４３は換気孔Ｋの内周面に次第に突き刺さっていくことになる。そのため、換気孔Ｋの内周面に対して爪部４３が深く突き刺さりやすくなり、換気孔Ｋに対する換気口具１の位置ずれをより確実に抑制することができる。
【００３４】
（４）本実施形態では、係止具４０を平面視Ｔ字状に形成するとともに、その頭部４１の幅が取付孔１２における外筒１１の周方向の長さよりも大きくなるように形成している。これにより、筒体１０を換気孔Ｋに挿入する際に、係止具４０の頭部４１が取付孔１２内に沈み込むといった係止具４０の位置ずれが防止されて、頭部４１と換気孔Ｋの内周面とを確実に圧接させることができる。
【００３５】
また、本実施形態では、外筒１１の屋外側端部を挟み込むように胴部４２の先端を折り返すことにより、外筒１１に対して係止具４０を取り付けている。これにより、筒体１０を換気孔Ｋに挿入する際等に、係止具４０を屋外側に引っ張るような力が係止具４０に作用したとしても、胴部４２の折り返し部分が外筒１１の屋内側端部に引っ掛かることにより、取付孔１２からの係止具４０の位置ずれが抑制される。
【００３６】
（５）本実施形態では、外筒１１に対して、３つの取付孔１２を外筒１１の周方向に等間隔に設けるとともに、この取付孔１２を介して外筒１１に３つの係止具４０を取り付けている。すなわち、３つの係止具４０を、外筒１１の周方向に等間隔に取り付けている。これにより、係止具４０が換気孔Ｋの内周面を押圧する力同士が互いに均衡して、換気口具１は換気孔Ｋの中央位置に安定して固定される。
【００３７】
（６）外筒１１の屋内側端部には縁部１３が外筒１１の径方向に向けて突設されている。この縁部１３の構成によって、外筒１１の内域から屋内側へ雨水が浸入することを抑制する。また、縁部１３には切欠１４が形成され、その切欠１４を通して係止具４０の胴部４２が巻き付けられる。したがって、換気口具１が換気孔Ｋ内へ挿入される際に、外筒１１の周方向への係止具４０の位置ずれが抑制される。
【００３８】
なお、本実施形態は、次のように変更して具体化することも可能である。
・  本実施形態では、係止具４０をステンレスにより形成したが、係止具４０の素材はこれに限られるものではない。たとえば、アルミやスチール等の他の金属素材を用いてもよいし、プラスチックやゴム等の樹脂素材を用いてもよい。また、弾性作用をもたない素材により係止具４０を形成してもよい。つまり、換気口具１を換気孔Ｋに設置した際に、係止具４０と換気孔Ｋの内周面とが圧接状態にさえあれば、係止具４０による押圧作用がなくとも、換気口具１の固定状態は安定化される。
【００３９】
・  本実施形態では、係止具４０を平面視Ｔ字状に形成するとともに、その頭部４１の幅が取付孔１２における外筒１１の周方向の長さよりも大きくなるように形成したが、頭部４１の幅が取付孔１２における外筒１１の周方向の長さよりも小さくなるように形成してもよい。この場合には、たとえば、図５（ｂ）に示すように、頭部４１の一部を切り起こして切り起こし片４４を形成することにより、取付孔１２からの係止具４０の脱離や、外筒１１に対する係止具４０の位置ずれを抑制することができる。
【００４０】
・  本実施形態では、係止具４０の頭部４１の上端両隅を屈曲させて爪部４３を形成していたが、爪部４３の構成はこれに限られるものではない。たとえば、図５（ａ）に示すように、頭部４１の上縁に設けた突部を屈曲させて爪部４３とする構成を採用してもよい。また、爪部４３をいくつ設けられていてもよいし、爪部４３を設けなくてもよい。
【００４１】
・  本実施形態では、爪部４３を屋内側に向かって傾斜するように設けていたが、爪部４３を屋外側に向かって傾斜するように設けてもよい。この場合には、換気孔Ｋに設置され換気口具１が換気孔Ｋから外れようとする動作、つまり、屋外方向への換気口具１のずれに伴って、爪部４３が換気孔Ｋの内周面に突き刺さっていくことになる。そのため、換気孔Ｋからの換気口具１の脱落がより確実に抑制される。また、図５（ａ）に示すように、屋内側に傾斜する爪部４３と屋外側に傾斜する爪部４３とを混在させる構成としてもよい。さらに、図５（ａ）の２点差線で示すような、爪部４３を屋内側或いは屋外側に傾斜させることなく、板部材２０が延びる方向と同方向の、外筒１１の径方向外方に突出させる構成としてもよい。
【００４２】
・  本実施形態では、係止具４０は、その胴部４２を外筒１１の外周面側から取付孔１２に挿入するとともに、胴部４２の先端を外筒１１の内周面側から外周面側に折り返すことにより口具本体２に対して取り付けられていたが、係止具４０の取付方法はこれに限られるものではない。たとえば、「く」字状に折り曲げた係止具４０を接着剤により外筒１１の外周面に取り付ける構成を採用してもよい。また、係止具４０をブロック状に形成するとともに、外筒１１に穴状の取付孔１２を形成し、この穴状の取付孔１２に対してブロック状の係止具４０を差し込むことによって取り付けを行なう構成を採用してもよい。なお、切欠１４は外筒１１に対する係止具４０の取り付けを容易とするために設けていたが、切欠１４は設けなくてもよい。
【００４３】
・  本実施形態では、外筒１１に対して３つの係止具４０を外筒１１の周方向に等間隔に取り付けていたが、係止具４０の個数はこれに限られるものではなく、複数個であれば、いくつ取り付けてもよい。また、係止具４０の取付位置は、外筒１１の周方向に等間隔とする本実施形態の取付位置に限定されるものではなく、どのような位置に取り付けられていてもよい。たとえば、外筒１１の軸線に直行する平面上であって、上記軸線に対して点対称位置に係止具４０を取り付けた場合においても、係止具４０が換気孔Ｋの内周面を押圧する力同士を互いに均衡させることができる。また、外筒１１の軸線方向に並ぶように複数の係止具４０を取り付けてもよい。
【００４４】
・  本実施形態では、連通孔１６を螺旋状に形成したが、連通孔１６の形状はこれに限られるものではなく、内筒１５の内外を連通させ得るものであれば、その数や形状はとくに限定されるものではない。たとえば、外筒１１の軸線方向に延びる長孔状や円形状としてもよい。
【００４５】
・  本実施形態では、長孔２１は「へ」字状に形成されていたが、長孔２１の形状はこれに限られるものではない。たとえば、逆「へ」字状や長方形状に形成してもよいし、複数の長孔２１を一つの円形状の孔としてもよい。
【００４６】
・  フード３０内への小動物（鳥類など）の進入を防止するために、フード３０の内域に糸や金網などの進入防止手段を設置してもよい。
次に、上記実施形態及び別例から把握できる技術的思想について記載する。
○前記爪部は、前記筒体の屋外側端部方向に向かって傾斜するように設けられることを特徴とする換気口具。
○前記係止具は、前記筒体に設けた取付孔を介して取り付けられることを特徴とする換気口具。
○前記係止具は、前記筒体に対する位置ずれを抑制する位置ずれ抑制手段を備えていることを特徴とする換気口具。
【図面の簡単な説明】
【００４７】
【図１】本実施形態の換気口具の使用状態を示す断面図。
【図２】図１のＡ−Ａ線断面図。
【図３】本実施形態の換気口具の屋内側正面図。
【図４】（ａ）は、係止具の取り付け状態を示す斜視図。（ｂ）は係止具の正面図。
【図５】（ａ）、（ｂ）は、本実施形態の変更例を示す係止具の斜視図。
【図６】（ａ）は、従来の換気孔具の使用状態を示す断面図。（ｂ）は、従来の換気口具の爪片を示す斜視図。
【符号の説明】
【００４８】
Ｋ…換気孔、１…換気口具、２…口具本体、１０…筒体、３０…フード、４０…係止具、４３…爪部。
【図１】
0005245037.tif 000002
【図２】
0005245037.tif 000003
【図３】
0005245037.tif 000004
【図４】
0005245037.tif 000005
【図５】
0005245037.tif 000006
【図６】
0005245037.tif 000007